(57)【特許請求の範囲】
【請求項１】
多角形状の底板の各辺にそれぞれ側板が起立しており、各側板の両側辺にはそれぞれ三角形状の折込み片が連設され、隣接する折込み片同士が底板の隅から放射状に伸びる折り線を介して連結されてウェッブコーナー部が形成されており、そのウェッブコーナー部が外面に向けて折り曲げられる側板の上辺にそれぞれ折返し板が連設されており、ウェッブコーナー部における内側又は外側の折込み片の上辺に折曲げフラップが連設しており、その折曲げフラップが外側の折込み片と折返し板の間に位置するようにして、側板の外面に向けて折り曲げたウェッブコーナー部を押さえるように折返し板を折り曲げて重ね合わせ、各折返し板をそれぞれ側板の外面の中程に対応する接着部で貼り合わせたことを特徴とするウェッブコーナー型紙容器。
【請求項２】
折返し板又は側板における接着部となる部位を囲むように紙層にハーフカットを形成したことを特徴とする請求項１に記載のウェッブコーナー型紙容器。
【請求項３】
底板と側板との境界に外側から内側に剥けて窪んだ形状の凹部を設けたことを特徴とする請求項１又は２に記載のウェッブコーナー型紙容器。
【請求項４】
ウェッブコーナー部が外面に向けて折り曲げられる側板以外の側板の上辺に沿ってフラップ片が連設されていることを特徴とする請求項１〜３のいずれかに記載のウェッブコーナー型紙容器。
【発明の詳細な説明】
【技術分野】
【０００１】
本発明は、板紙からなる紙容器の技術分野に属し、詳しくは、リサイクルに対応した液漏れ防止機能のあるウェッブコーナー型紙容器に関するものである。
【背景技術】
【０００２】
従来、揚げたてのフライドチキン等、たれ、肉汁、ソース類を伴う調理食品や冷凍食品などの紙容器として、四隅からの油、調味料、肉汁等の液漏れを防止するため、四隅を外側に折り込んで側板の外面に貼り合わせて固定したウェッブ（みずかき）コーナー型の紙容器が用いられている。
【０００３】
このウェッブコーナー型紙容器は、使用後に解体するに際して、周囲４ヶ所のウェッブコーナー部をそれぞれ側板の外面から剥がす必要がある。ところが、通常は容器としての強度を上げる必要からウェッブコーナー部を強く接着しているため、ここを剥がして元の平面状のブランクに戻すのは簡単ではない。ウェッブコーナー部を手で剥がせる程度に弱く接着すれば良さそうなものではあるが、使用時に壊れやすくなって実用に耐えないからである。
【０００４】
そこで、例えば、ウェッブコーナー部に摘み片を形成するようにしたウェッブコーナー型紙容器が提案されている。このウェッブコーナー型紙容器は、摘み部を取っ掛かりとして側板から容易に剥がすことができるため、紙容器としての強度の低下を起こさずに、使用後に容易に元の平面状のブランクに戻すことができる。
【特許文献１】特開２００４−５１１５７号公報
【発明の開示】
【発明が解決しようとする課題】
【０００５】
上記したように、特許文献１に記載のウェッブコーナー型紙容器は、紙容器としての強度の低下を起こさずに、使用後に容易に元の平面状のブランクに戻すことができる。しかしながら、折込み片に切込みにより摘み片を区画しておき、この摘み片を折込み片から一部切り抜くようにして折り線で外側に折り曲げた状態でウェッブコーナー部を側板に固定する必要があるため、組立が簡単ではないという問題点がある。また、各ウェッブコーナー部をそれぞれの摘み部を引っ張って接着部分を剥がす必要があり、ウェッブコーナー部を側板から引き剥がす際の取っ掛かりがあるというだけで、基本的にはそれほど簡単に解体できるというものではない。
【０００６】
本発明は、このような問題点に鑑みてなされたものであり、その目的とするところは、簡単に元の平面状のブランクに戻すことができるウェッブコーナー型紙容器を提供することにある。
【課題を解決するための手段】
【０００７】
請求項１に記載の発明であるウェッブコーナー型紙容器は、多角形状の底板の各辺にそれぞれ側板が起立しており、各側板の両側辺にはそれぞれ三角形状の折込み片が連設され、隣接する折込み片同士が底板の隅から放射状に伸びる折り線を介して連結されてウェッブコーナー部が形成されており、そのウェッブコーナー部が外面に向けて折り曲げられる側板の上辺にそれぞれ折返し板が連設されており、ウェッブコーナー部における内側又は外側の折込み片の上辺に折曲げフラップが連設しており、その折曲げフラップが外側の折込み片と折返し板の間に位置するようにして、側板の外面に向けて折り曲げたウェッブコーナー部を押さえるように折返し板を折り曲げて重ね合わせ、各折返し板をそれぞれ側板の外面の中程に対応する接着部で貼り合わせたことを特徴としている。
【０００８】
請求項２に記載の発明であるウェッブコーナー型紙容器は、請求項１に記載のウェッブコーナー型紙容器において、折返し板又は側板における接着部となる部位を囲むように紙層にハーフカットを形成したことを特徴としている。
【００１０】
請求項３に記載のウェッブコーナー型紙容器は、請求項１又は２に記載のウェッブコーナー型紙容器において、底板と側板との境界に外側から内側に剥けて窪んだ形状の凹部を設けたことを特徴としている。
【００１１】
請求項４に記載のウェッブコーナー型紙容器は、請求項１〜３のいずれかに記載のウェッブコーナー型紙容器において、ウェッブコーナー部が外面に向けて折り曲げられる側板以外の側板の上辺に沿ってフラップ片が連設されていることを特徴としている。
【発明の効果】
【００１２】
本発明のウェッブコーナー型紙容器は、ウェッブコーナー部が折返し板で押さえられているだけで側板に接着していないので、折返し板をその端縁部分をきっかけとして側板から剥がすと、ウェッブコーナー部が自然と伸びることから、簡単に元の平らなブランクの状態に戻すことができる。そして、ウェッブコーナー部における内側又は外側の折込み片の上辺に折曲げフラップを連設し、その折曲げフラップを外側の折込み片と折返し板の間に位置させることにより、箱としての強度が増すとともに、折返し板を側板から剥がすと折曲げフラップの反発力が作用するので解体がしやすくなる。
【００１３】
そして、折返し板又は側板における接着部となる部位を囲むように紙層にハーフカットを形成したことにより、折返し板を側板から剥がそうとする際に、ハーフカットで囲まれた部分でのみ紙層の剥離が起こり、片側に接着剤と紙層とを残した状態で簡単に剥がすことができる。
【００１５】
また、底板と側板との境界に外側から内側に剥けて窪んだ形状の凹部を設けることにより、折返し板を側板から剥がす際に、この凹部のところに指先を入れることができるので、解体時の操作がより簡単になる。
【００１６】
また、ウェッブコーナー部が外面に向けて折り曲げられる側板以外の側板にフラップ片を連設することにより、折り曲げたフラップ片がウェッブコーナー部が折り曲げられていない側板の曲がりを防止する役目を果たすので、箱としての保形性がよくなる。
【発明を実施するための最良の形態】
【００１７】
次に、本発明の実施の形態について図面を参照しながら詳細に説明する。
【００１８】
図１は本発明に係るウェッブコーナー型紙容器の一例を示す斜視図、図２は図１に示すウェッブコーナー型紙容器のブランクを示す展開図、図３は図２のブランクを組み立てる手順を示す説明図である。
【００１９】
図１に示すウェッブコーナー型紙容器Ａ1 は図２に示すブランクＢ1 から組み立てられる。このブランクＢ1 は、板紙からなる原反を打ち抜いて作製されたものであり、図示のように、矩形状の底板１１における一方の対向する辺にそれぞれ折り線ａを介して一方の対向する側板１２が連設され、他方の対向する辺にそれぞれ折り線ｂを介して他方の対向する側板１３が連設されている。また、一方の対向する側板１２の両側辺にはそれぞれ放射状の折り線ｃを介して三角形状の折込み片１４が連設され、他方の対向する側板１３の両側辺にはそれぞれ放射状の折り線ｄを介して三角形状の折込み片１５が連設され、隣接する折込み片１４と折込み片１５とが放射状の折り線ｅで連設されており、この折込み片１４と折込み片１５を連設した部分がウェッブコーナー部Ｗとなっている。そして、一方の対向する側板１２の上辺にそれぞれ２本線の折り線ｆを介して該側板１２と略同じサイズの折返し板１６が連設されている。折り線ｆは幅を持たせるために２本線としたが、実用上は１本でもよいものであり、この点は以下で例示するブランクでも同様である。さらに、このブランクＢ1 では、各折込み片１４の上辺にそれぞれ折り線ｇを介して折曲げフラップ１７を連設しているが、この折曲げフラップ１７は必ず設けなければならないというものではない。
【００２０】
図２のブランクＢ1 を組み立てる手順は次のようである。まず、図３（ａ）に示すように、底板１１に対して一方の対向する側板１２と他方の対向する側板１３を起立させるとともに、それと同時に折込み片１４と折込み片１５を外側に引き出してウェッブコーナー部Ｗを形成し、このウェッブコーナー部Ｗを一方の対向する側板１２の外面に向けて折り曲げる。次いで、図３（ｂ）に示すように、折り曲げたウェッブコーナー部Ｗを押さえるように折返し板１６を折り曲げて重ね合わせ、各折返し板１６をそれぞれ一方の対向する側板１２の外面の中程に対応する接着部Ｆで貼り合わせる。この時、折込み片１４の上辺にある折曲げフラップ１７も折返し板１６とともに折り曲げる。このように折返し板１６でウェッブコーナー部Ｗを押さえることにより、図３（ｃ）に示すように、ウェッブコーナー型紙容器（図１と同じもの）が形成される。
【００２１】
組み立てられたウェッブコーナー型紙容器Ａ1 は、図１に示すように、外見形状は概ね通常のウェッブコーナー型紙容器と同様であり、矩形状の底板１１における一方の対向する辺からそれぞれ側板１２が斜め上方に起立し、底板１１における他方の対向する辺からそれぞれ側板１３が斜め上方に起立しており、一方の対向する側板１２の両側辺にそれぞれ三角形状の折込み片１４が連設し、他方の対向する側板１３の両側辺にそれぞれ三角形状の折込み片１５が連設し、折込み片１４と折込み片１５とが底板の四隅から放射状に伸びる折り線を介して連結されてウェッブコーナー部Ｗが形成されている。そして、一方の対向する側板１２の上辺にそれぞれ該側板１２と略同じサイズの折返し板１６が連設されており、ウェッブコーナー部Ｗが一方の対向する側板１２の外面に向けて折り曲げられ、その折り曲げたウェッブコーナー部Ｗを押さえるように折返し板１６が折り曲げられて重ね合わせられ、各折返し板１６がそれぞれ一方の対向する側板１２の外面の中程に対応する接着部Ｆで貼り合わせられている。また、このウェッブコーナー型紙容器Ａ1 では、ウェッブコーナー部Ｗにおける内側の折込み片１４の上辺に折曲げフラップ１７が連設しており、この折曲げフラップ１７は折返し板１６とともに折り曲げられて、外側の折込み片１５と折返し板１６との間に挟まれた状態になっている。したがって、ウェッブコーナー部Ｗをより強固に押さえ込み、容器としての保形力を上げている。
【００２２】
図４にこのウェッブコーナー型紙容器Ａ1 を元のブランクの状態に戻す手順を示している。まず、図４（ａ）に示すように、両方の折返し板１６をその下端の端縁部分をきっかけとしてそれぞれ一方の対向する側板１２から剥がす。このように折返し板１６を側板１２から剥がすと、図４（ｂ）から図４（ｃ）のように、ウェッブコーナー部Ｗが開放されることにより、自然と伸びて開放されて平らな状態となる。
【００２３】
そして、このウェッブコーナー型紙容器Ａ1 では、内側の折込み片１４の上辺にそれぞれ折曲げフラップ１７を設けているので、その折曲げフラップ１７が上記の如く外側の折込み片１５と折返し板１６の間に位置することになり、箱としての強度が増すことになる。また、折返し板１６を側板１２から剥がした時には、折曲げフラップ１７の反発力により折返し板１６が内側から押されるので解体がしやすくなる。
【００２４】
図５は本発明に係るウェッブコーナー型紙容器の別の例を示す斜視図、図６は図５に示すウェッブコーナー型紙容器のブランクを示す展開図である。
【００２５】
図５に示すウェッブコーナー型紙容器Ａ2 は図６に示すブランクＢ2 から組み立てられる。このブランクＢ2 は、図２のブランクＢ1 と略同じ構成をしている。すなわち、折込み片１４の上辺に折曲げフラップ１７を設ける代わりに、折込み片１５の上辺にそれぞれ折り線ｈを介して折曲げフラップ１８を連設している以外は図２のブランクＢ1 と同じものである。
【００２６】
図６のブランクＢ2 を組み立てる手順は図２のブランクＢ1 の場合と略同じであるが、各折返し板１６を折り曲げてそれぞれ一方の対向する側板１２の外面の接着部Ｆで貼り合わせる際に、外側の折込み片１５の上辺にある折曲げフラップ１８を折り曲げるようにする点だけが異なっている。また、接着部Ｆを２ヶ所とした点でも異なっている。そして、このように折返し板１６でウェッブコーナー部Ｗを押さえることにより、図５に示すウェッブコーナー型紙容器Ａ2 が形成される。
【００２７】
組み立てられたウェッブコーナー型紙容器Ａ2 は、図５に示すように、外見形状は先のウェッブコーナー型紙容器Ａ1 と同じである。ただ、外側の折込み片１５の上辺に折曲げフラップ１８が連設しており、この折曲げフラップ１８が折返し板１６とともに折り曲げられて、外側の折込み片１５と折返し板１６との間に挟まれた状態になっている点だけが異なっている。また、接着部Ｆを２ヶ所として点でも異なっている。
【００２８】
このウェッブコーナー型紙容器Ａ2 を元のブランクの形状に戻す手順は先にウェッブコーナー型紙容器Ａ1 で説明したのと同様である。すなわち、両方の折返し板１６をその下端の端縁部分をきっかけとしてそれぞれ一方の対向する側板１２から剥がすと、ウェッブコーナー部Ｗが開放されて自然と伸びるので、簡単に平らな元の状態となる。
【００２９】
そして、このウェッブコーナー型紙容器Ａ2 では、外側の折込み片１５の上辺にそれぞれ折曲げフラップ１８を設けているので、その折曲げフラップ１８が上記の如く外側の折込み片１５と折返し板１６の間に位置することになり、箱としての強度が増すことになる。また、折返し板１６を側板１２から剥がした時には、折曲げフラップ１８の反発力により折返し板１６が内側から押されるので解体がしやすくなる。
【００３０】
図７は本発明に係るウェッブコーナー型紙容器のさらに別の例を示す斜視図、図８は図７に示すウェッブコーナー型紙容器のブランクを示す展開図である。
【００３１】
図７に示すウェッブコーナー型紙容器Ａ3 は図８に示すブランクＢ3 から組み立てられる。このブランクＢ3 は、図２のブランクＢ1 と略同じ構成をしているが次の点で異なっている。まず、矩形状の底板１１における一方の対向する辺にそれぞれ折り線ａを介して側板１２が連設されている点は同じであるが、この折り線ａがその中程で２本に分岐することで、紡錘形状の境界部分１９が区画されている。次に、一方の対向する側板１２の上辺に連設する折返し板１６は、先端に凸部１６ａを形成するように両側を切り欠いた形状になっている点で異なる。また、折込み片１４に連設する折曲げフラップ１７は省略されている。
【００３２】
図８のブランクＢ3 を組み立てる手順も図２のブランクＢ1 の場合と略同じである。ただ、一方の対向する側板１２を底板１１に対して起立させる時に、折り線ａの中程にある境界部分１９を内側にへこませて指先を入れるための凹部２０を形成する。また、内側の折込み片１４の上辺には折曲げフラップ１７がないので、図２のブランクＢ1 の場合のように折曲げフラップ１７を折り曲げるということはない。
【００３３】
組み立てられたウェッブコーナー型紙容器Ａ3 は、図７に示すように、外見形状は先のウェッブコーナー型紙容器Ａ1 と若干異なる。すなわち、底板１１と一方の対向する側板１２との境界にそれぞれ外側から内側に剥けて窪んだ形状の凹部２０が設けられるとともに、その凹部２０のところに折返し板１６の凸部１６ａが位置した形状となる。この時、紡錘形状の境界部分１９は、図示の如く底板１１の方には浅めに且つ側板１２の方には深めに設定しておくと、底板１１の変形が小さくなって容器の安定性が良くなり、しかも凹部２０は充分なサイズとなるので凸部１６ａの摘み易さは損なわれない。なお、境界部分１９の形状は、このような紡錘形状に限るものではなく、指先が入る凹部が形成できされすればどのような形状でも構わない。
【００３４】
このウェッブコーナー型紙容器Ａ3 を元のブランクの形状に戻す手順は先にウェッブコーナー型紙容器Ａ1 で説明したのと同様である。ただ、折返し板１６を一方の対向する側板１２から剥がす際に、凹部２０に指先を入れて折返し板１０の凸部１６ａを引っ掛けることができる。したがって、凸部１６ａが一方の対向する側板１２から各折返し板１６を剥がす際のきっかけとなる。そして、両方の折返し板１６をその先端の凸部１６ａをきっかけとしてそれぞれ一方の対向する側板１２から剥がすと、ウェッブコーナー部Ｗが開放されて自然と伸びるので、簡単に元の平らな状態となる。
【００３５】
図９は本発明に係るウェッブコーナー型紙容器のさらに別の例を示す斜視図、図１０は図９に示すウェッブコーナー型紙容器のブランクを示す展開図である。
【００３６】
図９に示すウェッブコーナー型紙容器Ａ4 は図１０に示すブランクＢ4 から組み立てられる。このブランクＢ4 は、図２のブランクＢ1 と略同じ構成をしているが、他方の対向する側板１３の上辺にそれぞれ折り線ｉを介してフラップ片２１が連設されている点だけが異なる。
【００３７】
図１０のブランクＢ4 を組み立てる手順も図２のブランクＢ1 の場合と略同じである。そして、組み立てた後に、両方のフラップ片２１をそれぞれ折り線ｉのところで内側に折り曲げる。
【００３８】
組み立てられたウェッブコーナー型紙容器Ａ4 は、図９に示すように、外見形状は先のウェッブコーナー型紙容器Ａ1 と若干異なる。すなわち、他方の対向する側板１３の上辺に沿って内側に折れ曲がったフラップ片２１を有したものとなる。このため、図９のウェッブコーナー型紙容器Ａ4 では、折り曲げたフラップ片２１が他方の対向する側板１３の曲がりを防止する役目を果たすので容器としての保形性がよい。すなわち、長辺側はこのフラップ片２１により強化され、短辺側は側板１２に折返し板１６が加わって二重壁となるので強固となり、長短両側の保形性が高い強固な容器となる。
【００３９】
このウェッブコーナー型紙容器Ａ4 を元のブランクの形状に戻す手順は先にウェッブコーナー型紙容器Ａ1 で説明したのと同様である。すなわち、両方の折返し板１６をその下端の端縁部分をきっかけとしてそれぞれ一方の対向する側板１２から剥がす。すると、ウェッブコーナー部Ｗが開放され、自然と伸びるので簡単に平らな状態となる。
【００４０】
図１１は本発明に係るウェッブコーナー型紙容器のさらに別の例を示す斜視図、図１２は図１１に示すウェッブコーナー型紙容器のブランクを示す展開図である。
【００４１】
図１１に示すウェッブコーナー型紙容器Ａ5 は図１２に示すブランクＢ5 から組み立てられる。このブランクＢ5 は、図１０のブランクＢ4 と略同じ構成をしているが、他方の対向する側板１３の上辺にそれぞれ湾曲した折り線ｉを介して紡錘形状のフラップ片２２が連設されている点だけが異なる。
【００４２】
図１２のブランクＢ5 を組み立てる手順も図２のブランクＢ1 の場合と略同じである。そして、組み立てた後に、両方のフラップ片２２をそれぞれ湾曲した折り線ｉのところで内側に折り曲げる。この時、他方の対向する側板１３は外側に膨らむように変形する。
【００４３】
組み立てられたウェッブコーナー型紙容器Ａ5 は、図１１に示すように、外見形状は先のウェッブコーナー型紙容器Ａ4 と若干異なる。すなわち、他方の対向する側板１３の上辺に沿って内側に折れ曲がったフラップ片を有する点では同じであるが、このフラップ片２２は紡錘形状で、側板１３は外側に膨らんだ形状となる。そして、図１１のウェッブコーナー型紙容器Ａ5 も、折り曲げたフラップ片２２が他方の対向する側板１３の曲がりを防止する役目を果たすので容器としての保形性がよい。すなわち、長辺側はこのフラップ片２２により強化され、短辺側は側板１２に折返し板１６が加わって二重壁となるので強固となり、長短両側の保形性が高い強固な容器となる。
【００４４】
このウェッブコーナー型紙容器Ａ5 を元のブランクの形状に戻す手順は先にウェッブコーナー型紙容器Ａ1 で説明したのと同様である。すなわち、両方の折返し板１６をその下端の端縁部分をきっかけとしてそれぞれ一方の対向する側板１２から剥がす。すると、ウェッブコーナー部Ｗが開放され、自然と伸びるので簡単に平らな状態となる。
【００４５】
図１３は図１に示すウェッブコーナー型紙容器の変形例を示す一部斜視図、図１４は図１３に示すウェッブコーナー型紙容器のブランクを示す一部展開図、図１５は図１４のブランクを組み立てる途中の状態を示す説明図である。
【００４６】
図１３に示すウェッブコーナー型紙容器Ａ6 は図１４に示すブランクＢ6 から組み立てられる。このブランクＢ6 は、図２のブランクＢ1 と略同じ構成をしているが、折込み片１４の上辺に設けた折曲げフラップ１７の形状だけが異なっている。すなわち、この折曲げフラップ１７は、折込み片１５の方に向かってくちばし状に尖った突出部分１７ａを有した形状になっている。
【００４７】
図１４のブランクＢ6 を組み立てる手順も図２のブランクＢ1 の場合と略同じである。ただ、各折返し板１６を折り曲げてそれぞれ一方の対向する側板１２の外面の接着部Ｆで貼り合わせる際に、図１５の如く、内方向に向かう突出部分１７ａを有した大きめの折曲げフラップ１７を折り曲げる点だけが異なっている。
【００４８】
組み立てられたウェッブコーナー型紙容器Ａ6 は、図１３に示すように、外見形状は先のウェッブコーナー型紙容器Ａ1 と同じである。ただ、内側の折込み片１４の上辺に連設する折曲げフラップ１７が、内方向に向かって突出部分１７ａを有している点で異なっている。このように、折曲げフラップ１７に突出部分１７ａを設けてあることにより、側板１３に対して広がる方向の力が掛かった時に、突出部分１７ａが側板１２と折返し板１６の境界部分に当たって抵抗することになり、ウェッブコーナー部Ｗが側板１２と折返し板１６の間から外れるのが防止される。したがって、このウェッブコーナー型紙容器Ａ6 は図１に示すウェッブコーナー型容器Ａ1 に比べて壊れにくいものとなる。なお、図５のウェッブコーナー型紙容器Ａ2 のように、外側の折込み片１５の上辺に折曲げフラップ１８を設ける場合は、この折曲げフラップ１８の方に突出部分を設けるようにしてもよい。
【００４９】
このウェッブコーナー型紙容器Ａ6 を元のブランクの形状に戻す手順は先にウェッブコーナー型紙容器Ａ1 で説明したのと同様である。すなわち、折返し板１６をその下端の端縁部分をきっかけとしてそれぞれ一方の対向する側板１２から剥がす。すると、ウェッブコーナー部Ｗが開放され、自然と伸びるので簡単に平らな状態となる。そして、折曲げフラップ１７に突出部分１７ａがあっても、この解体に何も影響はない。
【００５０】
図１６は本発明に係るウェッブコーナー型紙容器のさらに別の例を示す一部斜視図、図１７は図１６に示すウェッブコーナー型紙容器のブランクを示す一部展開図、図１８は図１６のウェッブコーナー型紙容器を分解する途中の状態を示す説明図である。
【００５１】
図１６に示すウェッブコーナー型紙容器Ａ7 は図１７に示すブランクＢ7 から組み立てられる。このブランクＢ7 は、図２のブランクＢ1 と略同じ構成をしているが、折返し板１６における接着部Ｆとなる部位を囲むように紙層にハーフカットαを形成した点が異なっている。すなわち、本発明で用いるブランクは紙器用の板紙を用いており、このブランクＢ7 では、その板紙の紙層にハーフカットを形成している。また、折返し板１６を先端に丸みを持たせた形状とした点、折込み片１４の上辺にあった折曲げフラップ１７を省略した点、折り線ｆを一本線で構成した点でもそれぞれ異なっている。なお、折返し板１６と対向する側板１２における接着部の方にハーフカットを設けるようにしてもよい。
【００５２】
図１７のブランクＢ7 を組み立てる手順は図２のブランクＢ1 の場合と略同じであるが、接着剤は折返し板１６におけるハーフカットαで囲まれた部位に塗布する。また、内側の折込み片１４の上辺には折曲げフラップ１７がないので、図２のブランクＢ1 の場合のように折曲げフラップ１７を折り曲げるということはない。
【００５３】
組み立てられたウェッブコーナー型紙容器Ａ7 は、図１６に示すように、外見形状は先のウェッブコーナー型紙容器Ａ1 と若干異なる。すなわち、折返し板１６の下方先端が丸みを帯びたデザインとなる。
【００５４】
このウェッブコーナー型紙容器Ａ7 を元のブランクの形状に戻す手順は先にウェッブコーナー型紙容器Ａ1 で説明したのと同様である。ただ、折返し板１６における接着部Ｆの周囲はハーフカットαになっているので、折返し板１６をその下端の端縁部分をきっかけとして側板１２から剥がそうとすると、図１８に示すように、ハーフカットαで囲まれた部分でのみ紙層の剥離が起こり、側板１２の方に接着剤と剥離した紙層とを残した状態で簡単に剥がすことができる。このように、折返し板１６を側板１２から剥がすと、ウェッブコーナー部Ｗが開放されて自然と伸びるので、簡単に元の平らな状態となる。なお、このように接着部となる部位を囲むように紙層にハーフカットを形成することは、今までに例示したウェッブコーナー型紙容器Ａ1 〜Ａ6 の何れのタイプにも適用可能である。
【００５５】
本発明のウェッブコーナー型紙容器は、今までに例示したような全体形状が四角形状のものに限らず、それ以外の多角形状を採りえる。実用上は、六角形状、八角形状、１０角形状等が考えられるが、それ以外の多角形状を除外するものではない。
【００５６】
図１９は本発明に係るウェッブコーナー型紙容器で全体形状が六角形状のものの一例を示す斜視図、図２０は図１９に示すウェッブコーナー型紙容器のブランクを示す展開図である。
【００５７】
図１９に示すウェッブコーナー型紙容器Ａ8 は、図２０に示すブランクＢ8 から組み立てられる。このブランクＢ8 は、板紙からなる原反を打ち抜いて作製されたものであり、図示のように、六角形状の底板１１における一つ置きの各辺にそれぞれ折り線ａを介して二重壁の内側となる側板１２が連設され、それらの間の各辺にそれぞれ折り線ｂを介して側板１３が連設されている。また、側板１２の両側辺にはそれぞれ放射状の折り線ｃを介して三角形状の折込み片１４が連設され、側板１３の両側辺にはそれぞれ放射状の折り線ｄを介して三角形状の折込み片１５が連設され、隣接する折込み片１４と折込み片１５とが放射状の折り線ｅで連設されており、この折込み片１４と折込み片１５を連設した部分がウェッブコーナー部Ｗとなっている。そして、二重壁の内側となる側板１２の上辺にそれぞれ２本線の折り線ｆを介して該側板１２と略同じサイズの折返し板１６が連設されている。
【００５８】
図２０のブランクＢ8 を組み立てる手順は図２のブランクＢ1 の場合に準じたものとなる。すなわち、底板１１に対して各側板１２，１３を起立させるとともに、それと同時に折込み片１４と折込み片１５を外側に引き出してウェッブコーナー部Ｗを形成し、このウェッブコーナー部Ｗを側板１２の外面に向けて折り曲げる。次いで、折り曲げたウェッブコーナー部Ｗを押さえるように折返し板１６を折り曲げて重ね合わせ、各折返し板１６をそれぞれ側板１２の外面の中程に対応する接着部Ｆで貼り合わせる。このように折返し板１６でウェッブコーナー部Ｗを押さえることにより、図１９のウェッブコーナー型紙容器Ａ8 が形成される。
【００５９】
組み立てられたウェッブコーナー型紙容器Ａ8 は、図１９に示すように、外見形状は六角形状であり、六角形状の底板１１における各辺からそれぞれ側板１２，１３が斜め上方に起立しており、側板１２の両側辺にそれぞれ三角形状の折込み片１４が連設し、側板１３の両側辺にそれぞれ三角形状の折込み片１５が連設し、折込み片１４と折込み片１５とが底板の四隅から放射状に伸びる折り線を介して連結されてウェッブコーナー部Ｗが形成されている。そして、側板１２の上辺にそれぞれ該側板１２と略同じサイズの折返し板１６が連設されており、ウェッブコーナー部Ｗが側板１２の外面に向けて折り曲げられ、その折り曲げたウェッブコーナー部Ｗを押さえるように折返し板１６が折り曲げられて重ね合わせられ、各折返し板１６がそれぞれ側板１２の外面の中程に対応する接着部Ｆで貼り合わせられている。このように、折返し板１６によってウェッブコーナー部Ｗを押さえ込んでいるので、容器としての保形力が高いものになっている。
【００６０】
このウェッブコーナー型紙容器Ａ8 を元のブランクの形状に戻す手順は先にウェッブコーナー型紙容器Ａ1 で説明した手順に準じたものとなる。すなわち、各折返し板１６をその下端の端縁部分をきっかけとしてそれぞれ側板１２から剥がすと、ウェッブコーナー部Ｗが開放されて自然と伸びるので、簡単に平らな元の状態となる。
【００６１】
図２１は図１９に示すウェッブコーナー型紙容器の変形例を示す斜視図、図２２は図２１に示すウェッブコーナー型紙容器のブランクを示す展開図である。
【００６２】
図２１に示すウェッブコーナー型紙容器Ａ9 は、図２２に示すブランクＢ9 から組み立てられる。このブランクＢ9 は図２０のブランクＢ8 と略同じ構成をしているが、側板１２の上辺に連設する折返し板１６は、先端に凸部１６ａを形成するように両側を切り欠いた形状になっている点だけが異なる。そして、このブランクＢ9 から図２１のウェッブコーナー型紙容器Ａ9 を組み立てる手順は図２０のブランクＢ8 の場合と同じである。
【００６３】
組み立てられたウェッブコーナー型紙容器Ａ9 は、図１９のウェッブコーナー型紙容器Ａ8 と同様な六角形状であるが、二重壁の外側となる折返し板１６が先端に凸部１６ａを有したものになる。そして、このウェッブコーナー型紙容器Ａ9 を元のブランクの形状に戻す手順はウェッブコーナー型紙容器Ａ8 の場合と同様であるが、折返し板１６を側板１２から剥がす際には先端の凸部１６ａのところを摘むようにすればよい。
【００６４】
なお、これらの六角形状のウェッブコーナー型紙容器Ａ8 ，Ａ9 においても、折返し板１６又は側板１２における接着部となる部位を囲むように紙層にハーフカットを形成したり、何れかの折込み片１４，１５の上辺に折曲げフラップを連設したり、底板１１と側板１２との境界に外側から内側に剥けて窪んだ形状の凹部を設けたり、ウェッブコーナー部Ｗが外面に向けて折り曲げられる側板以外の側板１３の上辺に沿ってフラップ片を連設したりする形態を採りえることは言うまでもない。
【００６５】
上記の各例で説明したように、本発明のウェッブコーナー型紙容器は、使用後に簡単に平らな状態にすることができる。そして、元のブランクの状態にすることにより、多数枚を積み重ねることができることから、廃棄時の運搬等が容易となる。また、内面に汚れ防止用フィルムを貼り合わせたブランクを用いている場合にあっては、使用後に平らな状態になるがゆえに、その汚れ防止用フィルムを剥がすのが簡単となる。
【００６６】
以上、本発明の実施の形態について詳細に説明してきたが、本発明によるウェッブコーナー型紙容器は、上記実施の形態に何ら限定されるものではなく、本発明の趣旨を逸脱しない範囲において種々の変更が可能であることは当然のことである。
【図面の簡単な説明】
【００６７】
【図１】本発明に係るウェッブコーナー型紙容器の一例を示す斜視図である。
【図２】図１に示すウェッブコーナー型紙容器のブランクを示す展開図である。
【図３】図２のブランクを組み立てる手順を示す説明図である。
【図４】図１に示すウェッブコーナー型紙容器を元のブランクの状態に戻す手順を示す説明図である。
【図５】本発明に係るウェッブコーナー型紙容器の別の例を示す斜視図である。
【図６】図５に示すウェッブコーナー型紙容器のブランクを示す展開図である。
【図７】本発明に係るウェッブコーナー型紙容器のさらに別の例を示す斜視図である。
【図８】図７に示すウェッブコーナー型紙容器のブランクを示す展開図である。
【図９】本発明に係るウェッブコーナー型紙容器のさらに別の例を示す斜視図である。
【図１０】図９に示すウェッブコーナー型紙容器のブランクを示す展開図である。
【図１１】本発明に係るウェッブコーナー型紙容器のさらに別の例を示す斜視図である。
【図１２】図１１に示すウェッブコーナー型紙容器のブランクを示す展開図である。
【図１３】図１に示すウェッブコーナー型紙容器の変形例を示す一部斜視図である。
【図１４】図１３に示すウェッブコーナー型紙容器のブランクを示す一部展開図である。
【図１５】図１４のブランクを組み立てる途中の状態を示す説明図である。
【図１６】本発明に係るウェッブコーナー型紙容器のさらに別の例を示す一部斜視図である。
【図１７】図１６に示すウェッブコーナー型紙容器のブランクを示す一部展開図である。
【図１８】図１６のウェッブコーナー型紙容器を分解する途中の状態を示す説明図である。
【図１９】本発明に係るウェッブコーナー型紙容器で全体形状が六角形状のものの一例を示す斜視図である。
【図２０】図１９に示すウェッブコーナー型紙容器のブランクを示す展開図である。
【図２１】図１９に示すウェッブコーナー型紙容器の変形例を示す斜視図である。
【図２２】図２１に示すウェッブコーナー型紙容器のブランクを示す展開図である。
【符号の説明】
【００６８】
Ａ1 〜Ａ9   ウェッブコーナー型紙容器
Ｂ1 〜Ｂ9   ブランク
Ｆ  接着部
Ｗ  ウェッブコーナー部
ａ〜ｉ  折り線
α  ハーフカット
１１  底板
１２，１３  側板
１４，１５  折込み片
１６  折返し板
１６ａ  凸部
１７  折曲げフラップ
１７ａ  突出部分
１８  折曲げフラップ
１９  境界部分
２０  凹部
２１，２２  フラップ片
【図１】
0004774967.tif 000002
【図２】
0004774967.tif 000003
【図３】
0004774967.tif 000004
【図４】
0004774967.tif 000005
【図５】
0004774967.tif 000006
【図６】
0004774967.tif 000007
【図７】
0004774967.tif 000008
【図８】
0004774967.tif 000009
【図９】
0004774967.tif 000010
【図１０】
0004774967.tif 000011
【図１１】
0004774967.tif 000012
【図１２】
0004774967.tif 000013
【図１３】
0004774967.tif 000014
【図１４】
0004774967.tif 000015
【図１５】
0004774967.tif 000016
【図１６】
0004774967.tif 000017
【図１７】
0004774967.tif 000018
【図１８】
0004774967.tif 000019
【図１９】
0004774967.tif 000020
【図２０】
0004774967.tif 000021
【図２１】
0004774967.tif 000022
【図２２】
0004774967.tif 000023